(57)【特許請求の範囲】
【請求項１】
地下構造物の構造物開口を形成するよう設けられた受枠部の前記構造物開口を塞ぐ蓋部材を支持する支持体であって、
蓋部材用開口部を有し、前記受枠部に載置される載置部と、該載置部から前記構造物開口側へ一体に延長されて上面側に舗装工が施される延設部とが設けられ、該延設部の延長側端部が前記構造物開口に対して上方に折曲されることで前記蓋部材用開口部が設けられていることを特徴とする地下構造物用蓋の支持体。
【請求項２】
平面視して中心側に蓋部材用開口部を有した矩形枠状に形成されており、矩形枠状に形成された四辺のうち対向する二辺側のみに載置部が設けられていることを特徴とする請求項１記載の地下構造物用蓋の支持体。
【請求項３】
地下構造物の構造物開口を形成するよう設けられた受枠部の前記構造物開口を塞ぐ蓋装置であって、蓋部材用開口部を有する支持体が、前記受枠部に載置される載置部と、該載置部から前記構造物開口側へ一体に延長されて上面側に舗装工が施される延設部とを有し、該延設部の延長側端部が前記構造物開口に対して上方に折曲されることで前記蓋部材用開口部が設けられ、該蓋部材用開口部に施錠手段を介して蓋部材が開閉自在に設けられていることを特徴とする地下構造物の蓋装置。
【請求項４】
支持体は、平面視して中心側に蓋部材用開口部を有した矩形枠状に形成されており、矩形枠状に形成された四辺のうち対向する二辺側のみに載置部が設けられていることを特徴とする請求項３記載の地下構造物の蓋装置。
【請求項５】
支持体の四辺のうち載置部が設けられていない辺側どうしを突き合わせるようにして複数個並設されることを特徴とする請求項４記載の地下構造物の蓋装置。
【発明の詳細な説明】
【技術分野】
【０００１】
本発明は、電線共同溝等の地下構造物用蓋部材の支持体、および蓋装置に関する。
【背景技術】
【０００２】
電線共同溝等の地下構造物の蓋装置として、下記特許文献１に示す技術が提案されている。
これは、開口を形成するよう設けた受枠の、前記開口を塞ぐように設けられるもので、外枠部材と、親蓋体と、小蓋体とを別体に有して、外枠部材を受枠に載置し、外枠部材の内側に親蓋体を載置し、親蓋体の内側小蓋体を載置するようにして、外枠部材の上面に舗装材を施すように用いられる。
【特許文献１】特開平１０−２６６２４９号公報
【発明の開示】
【発明が解決しようとする課題】
【０００３】
上記従来の蓋装置は、一般的に鋳鉄によって製造されるが、外枠部材と親蓋体とを別体としていると、それぞれの成形に必要な型材が必要であり、また、実際に開口を塞ぐよう施工する際にはそれぞれの部材を組立てる作業が必要になるから、コストが嵩んでしまう。
また、外枠部材と親蓋体とを連結するように組付けるには熟練を要するが、特に外枠部材においてそのサイズが長尺になったりすると、搬入出の際に外枠部材自身の重さによって大きな捩れや歪みが発生することがあって、このような場合では組付け施工にいっそう高い熟練性を有することになる。
【０００４】
そこで本発明は、コストの上昇を抑えてしかも組付け施工に高い熟練性を要しない地下構造物の蓋装置および蓋装置を用いた路面設備の提供を課題とする。
【課題を解決するための手段】
【０００５】
本発明は、地下構造物の構造物開口を形成するよう設けられた受枠部の前記構造物開口を塞ぐ蓋部材を支持する支持体であって、蓋部材用開口部を有し、前記受枠部に載置される載置部と、該載置部から前記構造物開口側へ一体に延長されて上面側に舗装工が施される延設部とが設けられ、該延設部の延長側端部が前記構造物開口に対して上方に折曲されることで前記蓋部材用開口部が設けられていることを特徴としている。
上記構成において、支持体は載置部と延設部とが一体に形成されているから、これを成型するための型材の点数の増加が抑えられ、しかも載置部を受枠部に載置するだけで受枠部に支持体を設置することが可能となって多くの部材どうしを連結するといった時間のかかる作業が不要となり、載置部とこの載置部から一体に延長された延設部を有することでその分だけ全体として強度（剛性）が向上しているから、支持体の搬入出の際にも支持体自身の重さによる変形が抑えられ、載置部を受枠部に載置するだけで受枠部に固定する場合に、受枠部との関係において難しい調節が不要となる。
【０００６】
本発明の地下構造物用蓋の支持体は、平面視して中心側に蓋部材用開口部を有した矩形枠状に形成されており、矩形枠状に形成された四辺のうち対向する二辺側のみに載置部が設けられていることを特徴としている。
上記構成において、支持体の四辺のうち対向する二辺側のみに載置部が設けられており、他の二辺には設けられていないから、その分だけ軽量化されて搬入出が楽になり、しかも載置部と延設部とは一体化されているから、載置部が他の二辺には設けられていなくても所定の強度（剛性）が確保される。
【０００７】
本発明は、地下構造物の構造物開口を形成するよう設けられた受枠部の前記構造物開口を塞ぐ蓋装置であって、蓋部材用開口部を有する支持体が、前記受枠部に載置される載置部と、該載置部から前記構造物開口側へ一体に延長されて上面側に舗装工が施される延設部とを有し、該延設部の延長側端部が前記構造物開口に対して上方に折曲されることで前記蓋部材用開口部が設けられ、該蓋部材用開口部に施錠手段を介して蓋部材が開閉自在に設けられていることを特徴としている。
上記構成によれば、支持体は載置部と延設部とが一体に形成されているから、これを成型するための型材の点数の増加が抑えられ、しかも載置部を受枠部に載置するだけで受枠部に支持体を設置することが可能となって多くの部材どうしを連結するといった時間のかかる作業が不要となり、載置部とこの載置部から一体に延長された延設部を有することでその分だけ全体として強度（剛性）が向上しているから、支持体の搬入出の際にも支持体自身の重さによる変形が抑えられ、載置部を受枠部に載置するだけで受枠部に固定する場合に、受枠部との関係において難しい調節が不要となる。
また、施錠手段として蓋部材を支持体に対して開閉させる施錠手段のみを要するから、多くの施錠手段を要せず、その分だけコストが低減されるとともに、施工に必要な手間が省かれる。
さらに、延設部の上面側に舗装工を施すことで、露出する部分は蓋部材のみとなって、施工後の優れた外観性に寄与する。
【０００８】
本発明の地下構造物の蓋装置では、支持体は、平面視して中心側に蓋部材用開口部を有した矩形枠状に形成されており、矩形枠状に形成された四辺のうち対向する二辺側のみに載置部が設けられていることを特徴としている。
上記構成において、支持体の四辺のうち対向する二辺側のみに載置部が設けられており、他の二辺には設けられていないから、その分だけ軽量化されて搬入出が楽になり、しかも載置部と延設部とは一体化されているから、載置部が他の二辺には設けられていなくても所定の強度（剛性）が確保される。
【０００９】
本発明の地下構造物の蓋装置は、支持体の四辺のうち載置部が設けられていない辺側どうしを突き合わせるようにして複数個並設されることを特徴としている。
上記構成のように、載置部のない辺側どうしを突き合わせるように蓋装置を並設することで、載置部のない分だけ蓋装置の設置に要するスペースが小さくてすむ。
【発明の効果】
【００１０】
本発明によれば、支持体は載置部と延設部とが一体に形成されているから、これを成型するための型材の点数の増加を抑えることができ、しかも載置部を受枠部に載置するだけで受枠部に支持体を設置することが可能となって多くの部材どうしを連結するといった時間のかかる作業が不要となり、載置部とこの載置部から一体に延長された延設部を有することでその分だけ全体として強度（剛性）が向上しているから、支持体の搬入出の際にも支持体自身の重さによる変形を抑えることができ、載置部を受枠部に載置するだけで受枠部に固定する場合に、受枠部との関係において難しい調節が不要となって、施工に高い熟練性を要しない。
【発明を実施するための最良の形態】
【００１１】
以下、本発明の実施形態を図面に基づいて説明する。
図１は本発明の実施形態を示す蓋装置の単体正面図、図２は単体平面図、図３は単体底面図、図４は単体側面図、図５は図１のＡ−Ａ線矢視断面図、図６は図１のＢ−Ｂ線矢視断面図、図７は使用状態を示す断面図である。
【００１２】
これらの図に示すように、蓋装置１Ａは、地下構造物として、電線ケーブル２Ａを収容した電線共同溝２の構造物開口３を上方から覆うものであって、支持体４と蓋部材５とを有する。
支持体４は鋳鉄から平面視して矩形形状に製造されている。支持体４は、構造物開口３を形成するよう設けられた受枠部６に載置される載置部７と、載置部７から構造物開口３側へ水平方向に向けて一体に延長されて且つ上面側に舗装工が施される延設部８と、延設部８の延長側端部が構造物開口３に対して上方に一体で折曲されて形成される蓋部材用開口部１０とを有する。
【００１３】
受枠部６は、例えば鉄筋コンクリート製カルバートボックスの上端面として構成されており、これは平坦面に形成されている。
載置部７は矩形形状に形成されている支持体４の四辺のうち、対向する二辺側にのみ設けられており、受枠部６に安定して載置されるのに充分な幅を有する細長平板状に形成されている。
また、載置部７はその長さ方向途中に支持体４を受枠部６に固定するための、固定手段としてのアンカーボルト１１を装着するための凹部１２が複数箇所形成されている。さらに、長手方向途中に上方に突出するリブ１３が複数形成されている。
【００１４】
延設部８は、載置部７の構造物開口３中心側端部に垂直方向に一体的に折曲形成された段付壁１４を介して構造物開口３の中心側に向けて水平方向に延長された平板状部材として構成されている。
蓋部材用開口部１０は、延設部８の延長側端部を上方に一体で折曲した平面視して枠状の立上壁１５およびこの立上壁１５の下端部から下方に向けて延長される垂下壁１６から構成されている。したがって、延設部８の中心には平面視して矩形の開口８Ａが形成されている。
延設部８の裏面には、縦横に補強リブ９が一体に形成されている。特に、補強リブ９として、載置部７が設けられていない側に対応する二辺側の端部には、延設部８の前後幅に亙る当接リブ９ａが形成されている。
さらに、蓋部材用開口部１０の上下方向途中部分の内側には、水平方向内方に向けて突出する細長の蓋掛片１７が一体に形成されている。この蓋掛片１７は蓋部材用開口部１０を構成する四辺のうち、載置部７が設けられていない側に対応する二辺側にのみ形成されている。
【００１５】
蓋部材用開口部１０に、施錠手段１８を介して複数（この場合では二枚）の横長の蓋部材５が並設して、且つそれぞれが開閉自在（着脱自在）に設けられている。蓋部材５は蓋部材用開口部１０の開口面積にほぼ等しい面積とされて蓋部材用開口部１０を隙間なく覆うものである。
施錠手段１８としては、一般的に用いられる構成を有したロック・ロック解除装置とされている。施錠手段１８は、蓋部材５の対向する短辺側、すなわち蓋掛片１７側に対で設けられており、施錠およびその解除は、蓋掛片１７に対して行われるよう構成されている。
蓋部材５の下面には補強リブ５ａが形成されており、上面には施錠手段１８部分を回避するようにして桝目状の区画壁２１が形成されている。区画壁２１の各区画内にはコンクリート（モルタル）２２が充填される。コンクリート２２は、区画壁２１の上端面と面一になるよう充填される。
【００１６】
上記構成の蓋装置１Ａでは、載置部７の凹部１２にアンカーボルト１１を挿入して、受枠部６にアンカーボルト１１を埋め込むことで、受枠部６に支持体４を固定することができる。そして、蓋部材用開口部１０の蓋掛片１７に、蓋部材用開口部１０を覆うようにして蓋部材５を載置し、施錠手段１８によって蓋部材５を施錠する。
また、延設部８の上面に舗装としてのインターロッキング２３を施工する。このようにすることで、蓋装置１Ａにおいて路面に露出する部分は蓋部材５のみとなるから、路面設備として良好な景観が得られる。
【００１７】
ところで、上記構成の蓋装置１Ａでは、支持体４は、受枠部６に載置される載置部７と、載置部７から構造物開口３側へ水平方向に向けて一体に延長されて且つ上面側に舗装工が施される延設部８とを一体に形成している。
このため、支持体４（蓋装置１Ａ）の施工に際して、受枠部６に載置して固定するという施工作業によって、支持体４を容易に受枠部６に組付けることができるといった施工上の有利点がある。
また、載置部７と延設部８とを一体に形成することで、これらを別体に形成してボルト・ナットのような組付手段を用いて組付けることで一体化する場合に比べて、成形型の種類が少なくてすむとともに、施工を容易に行うことができ、また施工に要する時間や熟練性を必要とせず、しかも必要な強度を得やすいから、載置部７を四辺すべてに設けなくとも剛性を確保することが可能となり、したがって、その分だけ蓋装置１Ａ，１Ｂ全体の軽量化を実現できる。
【００１８】
載置部７と延設部８とを別体に形成した場合では、それぞれの断面積は小さくなるからその分だけ剛性が低下することが考えられる。剛性が低下すると、特に載置部７や延設部８が長尺になった場合では、搬送・搬出の際に、載置部７や延設部８がそれ自体の重さによって捩れたり歪んだりすることが考えられ、このような変形を生じた場合では、その変形を矯正しつつ施工を行わなければならないといった困難性が生じる。
しかしながら、本発明の実施形態では、載置部７と延設部８とを一体に形成していることから、載置部７を矩形形状の四辺のうち、対向する二辺側にのみ設けていただけであっても、搬送・搬出の際に変形が発生しにくく、しかも軽量化を図ることができるから、施工上の困難性を回避することが可能となる。
さらに、載置部７と延設部８とを一体に形成することで常時使用において開閉可能な部分は蓋部材５のみとなるから、その分だけ施錠手段１８の個数も少なくてすむというコスト面での利点がある。なお、場合によっては、載置部７を矩形形状の四辺側のすべてに設けて、延設部８と一体に形成することも考えられる。
【００１９】
図８では、蓋装置１Ａと，蓋装置１Ａとは構成を異にする蓋装置１Ｂを、複数（三個）並べるようにした使用例の平面図を示している。両側の二個の蓋装置１Ａは、上記実施形態に示した蓋装置１Ａと同様の構成であるが、中央の蓋装置１Ｂは蓋部材５を三枚設けるようにした構成である。
すなわち、両側の蓋装置１Ａでは、蓋部材用開口部１０が、支持体４の左右前後の中心に配置した構成、すなわち、蓋部材用開口部１０の周囲に延設部８を有する構成であるのに対して、両側の蓋装置１Ａに挟まれる中央の蓋装置１Ｂでは、蓋部材用開口部１０を、支持体４の左右方向の中心に配置するよう、延設部８を載置部７のない二辺側にのみ設けた構成である。したがって、蓋掛片１７は載置部７のない二辺側にのみ設けている。
【００２０】
このような蓋装置１Ａ，１Ｂどうしを、支持体４の四辺のうち載置部７が設けられていない辺側どうしを同一平面内で突き合わせる（当接させる）ようにして複数個並設されている。なお、中央の蓋装置１Ｂにおいては、三枚の蓋部材５を設けており、そのうちひとつの蓋部材５は、配電装置（配電ボックス）を兼用している。
この実施形態の場合でも、延設部８の上面に舗装としてのインターロッキング２３を施工することで、路面に露出する部分は蓋部材５のみとなるから、路面設備として良好な景観が得られる。蓋装置１Ａ，１Ｂについての他の作用効果は上記実施形態と同様である。
【００２１】
図９に別の実施形態の平面図を示す。図９に示す蓋装置１Ｃが、図１〜図８の蓋装置１Ａと異なる部分の構成を説明する。
これは、延設部８の上面外周端部に立上壁１５と同等高さとなる囲壁２５を枠状に一体的に形成し、立上壁１５と囲壁２５との間を複数の区分に仕切る仕切壁２６を延設部８の板面上に所定間隔で形成して、平面視して矩形のコンクリート充填用の充填領域２７を形成するようにしている。
立上壁１５、囲壁２５、および仕切壁２６によって形成される充填領域２７の延設部８の板面上に、小突起２８が形成され、仕切壁２６の上端面の一部にくぼみ部３０が形成されている。充填領域２７に充填されたコンクリートは小突起２８によって確実に離脱を防止される。
なお、蓋部材５には、区画壁２１は設けられておらず、蓋部材５の上面は平坦面に形成されている。
【００２２】
上記構成によれば、囲壁２５および仕切壁２６を設ける分だけ断面係数が向上して剛性が高くなる。そして、コンクリートを充填するとコンクリートは小突起２８によって延設部８と強固に一体化して合成構造となるから、支持体４の剛性をいっそう向上させることができる。
【００２３】
なお、上記各実施形態では蓋部材５は矩形のものを用いた例を示したが、図１０の平面図に示すように、必要に応じて延設部８の中心に平面視して円形の開口８Ｂ形成するように立上壁１５（蓋部材用開口部１０）を形成し、円形の蓋部材２０を設けるようにすることも可能である。
この場合、蓋掛片１７は環状になる。また、この実施形態に用いるインターロッキングにおいて立上壁１５の外周に配置するブロック体は、立上壁１５に接触する部分は立上壁１５に倣う形状に加工される。他の構成および作用効果は、上記実施形態と同様である。
【図面の簡単な説明】
【００２４】
【図１】本発明の実施形態を示す蓋装置の単体正面図
【図２】同じく単体平面図
【図３】同じく単体底面図
【図４】同じく単体側面図
【図５】同じく図１のＡ−Ａ線矢視断面図
【図６】同じく図１のＢ−Ｂ線矢視断面図
【図７】同じく使用状態を示す断面図
【図８】別の実施形態を示す使用状態平面図
【図９】さらに別の実施形態を示す蓋装置の平面図
【図１０】さらに別の実施形態を示す蓋装置の平面図
【符号の説明】
【００２５】
１Ａ，１Ｂ，１Ｃ…蓋装置、２…電線共同溝、２Ａ…電線ケーブル、３…構造物開口、４…支持体、５…蓋部材、５ａ…補強リブ、６…受枠部、７…載置部、８…延設部、８Ａ，８Ｂ…開口、１０…蓋部材用開口部、１１…アンカーボルト、１２…凹部、１３…リブ、１４…段付壁、１５…立上壁、１６…垂下壁、１７…蓋掛片、１８…施錠手段、２０…蓋部材、２１…区画壁、２２…コンクリート、２３…インターロッキング、２５…囲壁、２６…仕切壁、２７…充填領域、２８…小突起
【図１】
0005076155.tif 000002
【図２】
0005076155.tif 000003
【図３】
0005076155.tif 000004
【図４】
0005076155.tif 000005
【図５】
0005076155.tif 000006
【図６】
0005076155.tif 000007
【図７】
0005076155.tif 000008
【図８】
0005076155.tif 000009
【図９】
0005076155.tif 000010
【図１０】
0005076155.tif 000011